(57)【要約】【課題】安全性が向上した二次電池を提供する。【解決手段】本発明の一実施形態に係る二次電池は、安定性を向上させることができるように充電と放電を実行する電極アセンブリと、前記電極アセンブリが内蔵されるケースと、前記ケースに結合するキャッププレートと、外側に突出した端子を含むキャップアセンブリと、前記電極アセンブリと電気的に連結しながら凹部分を有するヒューズ部と、前記凹部分に挿入して電気的な絶縁性遮断部材とを含む。【選択図】図２
2011258550.tif 000002
【特許請求の範囲】
【請求項１】
電極組立体、
端子、
前記電極組立体および前記端子と電気的に連結したヒューズ、および
前記ヒューズと共に動作する絶縁性遮断部材、
を含む、二次電池。
【請求項２】
前記ヒューズおよび前記絶縁性遮断部材はヒューズ組立体を構成し、
前記ヒューズは二次電池の過電流状態に反応して変形して電流の流れを遮断する変形部を含む、請求項１に記載の二次電池。
【請求項３】
前記絶縁性遮断部材は、前記ヒューズによって前記電流の流れが遮断されるときに電流の遮断を維持させる、請求項２に記載の二次電池。
【請求項４】
前記電極組立体と前記端子の間に電気的に連結した集電部材をさらに含み、
前記ヒューズは前記集電部材の変形部を含む、請求項２又は３のいずれかに記載の二次電池。
【請求項５】
前記絶縁性遮断部材はヒューズ貫通ホールに位置し、
前記ヒューズ貫通ホールは前記集電部材を貫通して延長する、請求項４に記載の二次電池。
【請求項６】
前記絶縁性遮断部材は、前記集電部材のヒューズ溝に位置する、請求項４に記載の二次電池。
【請求項７】
前記ヒューズ溝は、前記集電部材の側面から内側に延長する少なくとも１つのスロットを含み、
前記ヒューズの前記変形部は、前記スロットに隣接する、請求項６に記載の二次電池。
【請求項８】
前記ヒューズ溝は、前記集電部材の表面を横切って延長する表面溝であり、
前記ヒューズの前記変形部は、前記表面溝から前記集電部材の反対表面まで延長する、請求項６に記載の二次電池。
【請求項９】
前記電極組立体を収容するケースおよび前記ケースに結合するキャッププレートをさらに含む、請求項４に記載の二次電池。
【請求項１０】
前記端子は前記キャッププレートまたは端子柱のうちの１つを含む、請求項９に記載の二次電池。
【請求項１１】
前記キャッププレートと前記集電部材の間に下部絶縁部材をさらに含む、請求項９に記載の二次電池。
【請求項１２】
前記絶縁性遮断部材は前記下部絶縁部材と一体に形成される、請求項１１に記載の二次電池。
【請求項１３】
前記絶縁性遮断部材は前記下部絶縁部材と分離した破片であり、支持板と遮断突起を含む、請求項１１に記載の二次電池。
【請求項１４】
キャップ組立体をさらに含み、
前記キャップ組立体は、前記キャッププレート、ベント部材、密封キャップ、および短絡部材を含み、
前記端子は負極端子と正極端子を含み、前記負極端子は連結板を介してキャッププレートに電気的に連結する、請求項９に記載の二次電池。
【請求項１５】
前記短絡部材は、二次電池の内部圧力が設定圧力を超えるときに変形して前記正極端子と前記負極端子を短絡させる、請求項１４に記載の二次電池。
【請求項１６】
電極組立体、
電極、
前記電極組立体と前記端子に電気的に連結するヒューズ組立体を含み、
前記ヒューズ組立体は、
前記電極組立体と端子に電気的に連結した集電部材に形成された電流流れ部、前記集電部材の電流流れ部に隣接するように位置する溝部、および前記溝部と相互動作する絶縁性遮断部材を含む、二次電池。
【請求項１７】
前記電極組立体を収容するケース、
前記ケースに結合するキャッププレート、および
前記キャッププレートと前記集電部材の間の下部絶縁部材をさらに含む、請求項１６に記載の二次電池。
【請求項１８】
前記絶縁性遮断部材は前記下部絶縁部材と一体に形成される、請求項１７に記載の二次電池。
【請求項１９】
前記絶縁性遮断部材は前記下部絶縁部材と分離した破片であり、支持板と遮断突起を含む、請求項１７に記載の二次電池。
【請求項２０】
前記電流流れ部は集電部材の端子接合部または電極接合部に位置する、請求項１６に記載の二次電池。
【発明の詳細な説明】
【技術分野】
【０００１】
本発明は二次電池に関し、より詳細には、過電流発生時の危険を減少させることができる安全装置の構造を改善した二次電池に関する。
【背景技術】
【０００２】
二次電池（ｒｅｃｈａｒｇｅａｂｌｅ  ｂａｔｔｅｒｙ）は、充電が不可能な一次電池とは異なり、充電および放電をすることが可能な電池である。低容量の二次電池は携帯電話機やノートパソコンおよびビデオカメラのように携帯が可能な小型電子機器に使用され、大容量の電池はハイブリッド自動車などのモータ駆動用電源として幅広く使用されている。
【０００３】
最近、高エネルギー密度の非水電解液を利用した高出力二次電池が開発されており、このような高出力二次電池は大電力を必要とする機器、例えば、電気自動車などのモータ駆動に使用することができるように、複数の二次電池を直列に連結して大容量の二次電池として構成される。
【０００４】
また、１つの大容量二次電池は、通常、直列に連結する複数の二次電池からなり、二次電池は円筒形や角形などで構成される。
【発明の概要】
【発明が解決しようとする課題】
【０００５】
金属などの材質からなるケースを有する二次電池の内部に過電流が流れると、二次電池の温度が上昇して発火する危険がある。さらに、過電流によって二次電池の内部で電解液が分解されるなどの原因によって二次電池の内部圧力が上昇すれば、二次電池が爆発する危険がある。
【０００６】
本発明は上述したような問題点を解決するために案出されたものであって、本発明は、安全性が向上した二次電池を提供することを目的とする。
【課題を解決するための手段】
【０００７】
本発明の一実施形態に係る二次電池は、電極組立体と、端子と、電極組立体および端子と電気的に連結したヒューズと、ヒューズと共に動作する絶縁性遮断部材とを含む。
【０００８】
また、ヒューズおよび絶縁性遮断部材はヒューズ組立体を構成し、ヒューズは二次電池の過電流状態に反応して変形して電流の流れを遮断する変形部を含んでもよい。
【０００９】
また、絶縁性遮断部材は、ヒューズによって電流の流れが遮断されるときに電流の遮断を維持させてもよい。
【００１０】
また、電極組立体と端子の間に電気的に連結した集電部材をさらに含んでもよく、ヒューズは前記集電部材のヒューズ部を含んでもよい。
【００１１】
また、絶縁性遮断部材はヒューズ貫通ホールに位置し、ヒューズ貫通ホールは集電部材を貫通して延長してもよい。
【００１２】
また、絶縁性遮断部材は、集電部材のヒューズ溝に位置してもよい。
【００１３】
また、ヒューズ溝は、集電部材の側面から内側に延長する少なくとも１つのスロットを含んでもよく、ヒューズの変形部はスロットに隣接してもよい。
【００１４】
また、ヒューズ溝は、集電部材の表面を横切って延長する表面溝であり、ヒューズの変形部は表面溝から集電部材の反対表面まで延長してもよい。
【００１５】
また、電極組立体を収容するケースと、ケースに結合するキャッププレートとをさらに含んでもよい。
【００１６】
また、端子は、キャッププレートまたは端子柱のうちの１つを含んでもよい。
【００１７】
また、キャッププレートと集電部材の間に下部絶縁部材をさらに含んでもよい。
【００１８】
また、絶縁性遮断部材は、下部絶縁部材と一体に形成されてもよい。
【００１９】
また、絶縁性遮断部材は、下部絶縁部材と分離した破片であり、支持板と遮断突起を含んでもよい。
【００２０】
また、キャップ組立体をさらに含み、キャップ組立体は、キャッププレートと、ベント部材と、密封キャップと、短絡部材とを含み、端子は負極端子と正極端子とを含み、負極端子は連結板を介してキャッププレートに電気的に連結する。
【００２１】
また、短絡部材は、二次電池の内部圧力が設定圧力を超えるときに変形して正極端子と負極端子を短絡させてもよい。
【００２２】
本発明の他の実施形態に係る二次電池は、電極と、電極組立体と端子に電気的に連結するヒューズ組立体とを含み、ヒューズ組立体は、電極組立体と端子に電気的に連結した集電部材に形成された電流流れ部と、集電部材の電流流れ部に隣接するように位置する溝部と、溝部と相互動作する絶縁性遮断部材とを含む。
【００２３】
また、電極組立体を収容するケースと、ケースに結合するキャッププレートと、キャッププレートと集電部材の間の下部絶縁部材とをさらに含んでもよい。
【００２４】
また、絶縁性遮断部材は、下部絶縁部材と一体に形成されてもよい。
【００２５】
また、絶縁性遮断部材は、下部絶縁部材と分離した破片であり、支持板と遮断突起を含んでもよい。
【００２６】
また、電流流れ部は、集電部材の端子連結部または電極連結部に位置してもよい。
【発明の効果】
【００２７】
本発明の一実施形態によれば、過電流によって短絡が発生するとき、遮断部材がヒューズ部材の短絡状態を維持できるようにすることにより、二次電池の安全性が向上する。
【図面の簡単な説明】
【００２８】
【図１】本発明の第１実施形態に係る二次電池を示す斜視図である。
【図２】図１のＩＩ−ＩＩ線に沿って切断した断面図である。
【図３】本発明の第１実施形態に係る二次電池の部分分解斜視図である。
【図４】本発明の第２実施形態に係る二次電池の断面図である。
【図５】本発明の第２実施形態に係る二次電池の負極集電部材を示す斜視図である。
【図６】本発明の第３実施形態に係る二次電池の部分断面図である。
【図７】本発明の第３実施形態に係る二次電池の部分分解斜視図である。
【図８】本発明の第４実施形態に係る二次電池の負極集電部材を示す斜視図である。
【図９】本発明の第５実施形態に係る二次電池の部分断面図である。
【図１０】本発明の第５実施形態に係る二次電池の部分分解斜視図である。
【図１１】本発明の第６実施形態に係る二次電池の部分断面図である。
【図１２】本発明の第６実施形態に係る二次電池の正極集電部材を示す斜視図である。
【図１３】本発明の第５実施形態に係る二次電池を示す斜視図である。
【図１４】図１３のＸＩＶ−ＸＩＶ線に沿って切断した断面図である。
【発明を実施するための形態】
【００２９】
以下、添付の図面を参照しながら、本発明が属する技術分野において通常の知識を有する者が容易に実施できるように本発明の実施形態を詳しく説明する。しかし、本発明は多様に相違した形態に実現することができ、以下で説明する実施形態に限定されることはない。また、本明細書および図面において、同一する符号は同一する構成要素を示す。
【００３０】
また、図面に表示された層などの大きさは、明確性のために誇張して示されることもある。また、層または構成が他の構成の上にあるとするときは、他の構成の上に直接位置する場合もあれば、他の構成との間に介在する構成が存在し得るものとして解釈することも可能である。
【００３１】
また、ある構成が２つの構成の間に位置するとするときは、その構成が２つの構成の間に直接位置したり、他の干渉する構成が間に介在し得るものとして解釈することが可能である。また、図面番号は構成と同じように参照することができる。
【００３２】
図１は本発明の第１実施形態に係る二次電池を示す斜視図であり、図２は図１のＩＩ−ＩＩ線に沿って切断した断面図である。
【００３３】
図１および図２を参照すれば、本第１実施形態に係る二次電池１０１は、正極１１と負極１２の間にセパレータ１３を介在して巻き取られた電極アセンブリ１０と、電極アセンブリ１０が内蔵されるケース２６と、ケース２６の開口に結合したキャップアセンブリ３０とを含む。
【００３４】
本第１実施形態に係る二次電池１０１はリチウムイオン二次電池であって、角形であることを例示して説明する。ただし、本発明がこれに制限されるものではなく、本発明はリチウムポリマー電池または円筒形電池など、多様な形態の電池に適用されてもよい。
【００３５】
正極１１および負極１２は、薄板の金属箔で形成された集電体に活物質が塗布された領域のコーティング部と、活物質がコーティングされていない領域の無地部１１ａ、１２ａとを含んでもよい。
【００３６】
正極無地部１１ａは正極１１の長さ方向に沿って正極１１の一側端に形成されてもよく、負極無地部１２ａは負極１２の長さ方向に沿って負極１２の他側端に形成されてもよい。また、正極１１および負極１２は、絶縁体のセパレータ１３を間に介在した後に巻き取られてもよい。
【００３７】
ただし、本発明がこれに制限されるものではなく、前記電極アセンブリ１０は、複数のシート（ｓｈｅｅｔ）からなる正極と負極がセパレータを間において積層された構造で形成されてもよい。
【００３８】
ケース２６は大略直六面体で形成され、一面には開放された開口が形成されてもよい。キャップアセンブリ３０は、ケース２６の開口を覆うキャッププレート３１と、キャッププレート３１の外側に突出して正極１１と電気的に連結した正極端子２１と、キャッププレート３１の外側に突出して負極１２と電気的に連結した負極端子２２と、設定された内部圧力によって破断するようにノッチ３９ａが形成されたベント部材３９とを含んでもよい。
【００３９】
キャッププレート３１は薄い板で形成されてもよく、一側に電解液の注入のための電解液注入口２７が形成されてもよく、電解液注入口２７を密封する密封キャップ３８がキャッププレート３１に固定設置されてもよい。
【００４０】
端子２１、２２はキャッププレート３１を貫通して設置されてもよく、キャッププレート３１と端子２１、２２の間には、上部に位置する第１ガスケット２５と下部に位置する第２ガスケット２８がキャッププレート３１と端子２１、２２を絶縁させてもよい。本記載において、端子２１、２２とは、正極端子２１と負極端子２２とを含む。
【００４１】
端子２１、２２は円柱形状で形成されてもよく、端子２１、２２には端子２１、２２を上部で支持するナット２９が設置され、端子２１、２２の外周にはナット２９が締結されるようにねじ山が形成されてもよい。一方、端子２１、２２の下端には、下部で端子を支持する端子フランジ２１ａ、２２ａが形成されてもよい。ナット２９が端子２１、２２に締結されれば、端子フランジ２１ａ、２２ａとナット２９が第１ガスケット２５と第２ガスケット２８を加圧して端子２１、２２とキャッププレート３１の間が密封される。
【００４２】
端子フランジ２１ａ、２２ａとキャッププレート３１の間には、絶縁のための下部絶縁部材６０、７０が設置されてもよい。正極端子フランジ２１ａ、２２ａおよび集電部材４０、５０は、キャッププレート３１の下に配置された下部絶縁部材６０、７０に形成された溝に嵌合される。下部絶縁部材６０、７０は、集電部材４０、５０および端子２１、２２をキャッププレート３１と絶縁する役割をし、端子フランジ２１ａ、２２ａとキャッププレート３１の間に嵌合されて安定的に固定される。
【００４３】
図３は、本発明の第１実施形態に係る二次電池の部分分解斜視図である。
【００４４】
図３を参照しながら説明すれば、正極端子２１は端子フランジ２１ａから突出し、外周面がねじ加工された端子柱２１ｂと、端子フランジ２１ａの底からケース２６の底に向かって突出した支持突起２１ｃとを含んでもよい。
【００４５】
下部絶縁部材６０には、端子柱２１ｂが挿入する端子ホール６２と、端子フランジ２１ａが挿入するフランジ溝６３と、正極集電部材４０の端子接合部４１が挿入する接合溝６１とが形成されてもよい。正極集電部材４０は、正極端子２１に溶接によって付着された端子接合部４１と、端子接合部４１から折り曲げられて形成され、電極アセンブリ10に溶接によって付着された電極接合部４２とを含んでもよい。
【００４６】
正極集電部材４０には、支持突起２１ｃが挿入する支持ホール４１ｃが形成されてもよく、支持突起２１ｃと正極集電部材４０が溶接によって接合されてもよい。正極集電部材４０は、過電流状態であるときに溶融または変形するヒューズが形成されてもよい。ここで、ヒューズは、正極集電部材に形成される変形部（以下、ヒューズ部とする）４１ａを含む。ここで、ヒューズ部４１ａの断面積は、正極集電部材４０の他の部分の断面積よりも小さい。ヒューズ部４１ａが正極集電部材４０に形成されたものとして例示されているが、本発明がこれに制限されるものではない。例えば、ヒューズ部４１ａは、電極アセンブリ１０と端子２１、２２の間で直列に連結していれば十分である。ケース２６が端子の役割をなす場合には、ヒューズ部４１ａが電極アセンブリ１０とケース２６の間で直列に連結していればよい。
【００４７】
ヒューズ貫通ホール４１ｂは、ヒューズ部４１ａに近い正極集電部材４０に形成されてもよい。上述したように、ヒューズ部４１ａは端子連結部４１の他の部分よりもさらに小さい断面積からなるが、ヒューズ部４１ａは電流の流れが増加して限界電流を超える過電流が流れるときに溶融または変形し、電極アセンブリ１０と正極端子１１の電気的な連結を遮断する。
【００４８】
ヒューズ貫通ホール４１ｂには遮断部材６５が挿入設置されてもよい。遮断部材６５は電気的な絶縁性を有する素材で形成される。本実施形態において、遮断部材６５は、下部絶縁部材６０と一体に形成されて下部絶縁部材６０に固定されたものとして例示されているが、本発明がこれに制限されるものではなく、遮断部材６５がヒューズ貫通
ホール41bに嵌合されていれば十分である。また、本発明のヒューズおよび遮断部材６５は、ヒューズ組立体を構成してもよい。
【００４９】
ここで、ヒューズ組立体は、前記電極組立体と端子に電気的に連結した集電部材に形成された電流流れ部と、前記集電部材の電流流れ部に隣接するように位置する溝部と、前記溝部と相互動作する絶縁性遮断部材６５とを含んでもよい。
【００５０】
遮断部材６５は、ヒューズ部４１ａが溶融または変形した後に端子接合部４１が分離されているように支持する役割をする。ヒューズ部４１ａが溶融した後、外部から振動や衝撃が伝達されれば、端子接合部４１が再び連結する。このように、端子接合部４１が再び連結すれば、過電流が流れて二次電池１０１が発火したり爆発することがある。しかし、実施形態のように、遮断部材６５がヒューズ貫通ホール４１ｂに挿入されれば、遮断部材６５が溶融した部分が離隔されているように支持するため、溶融した部分が再び連結することを防ぐことができる。
【００５１】
図４は本発明の第２実施形態に係る二次電池の断面図であり、図５は本発明の第２実施形態に係る二次電池の負極集電部材を示す斜視図である。
【００５２】
本実施形態に係る二次電池１０２は、負極集電部材８０と下部絶縁部材９０の構造を除いては前記第１実施形態に係る二次電池と同じ構造からなるため、同一する構造についての重複する説明は省略する。
【００５３】
本実施形態に係る負極集電部材９０は、正極端子２１に溶接によって付着された端子接合部８１と、端子接合部８１から折り曲げられて形成されて電極アセンブリ１０に溶接によって付着された電極接合部９１とを含んでもよい。
【００５４】
負極集電部材９０には、負極端子２２の下端に形成された支持突起が挿入する支持ホール８１ｃと、過電流が流れるときに変形または溶融して電流を遮断するヒューズ部８１ａが形成される。ヒューズ部８１ａには、ヒューズ貫通ホール８１ｂがヒューズ部８１ａに近い端子連結部に形成されてもよい。ヒューズ部８１ａは、端子連結部８１の他の部分よりもさらに小さい断面積を有してもよい。ヒューズ部８１ａは、過電流が流れるときに溶融し、電極アセンブリ１０と負極端子２１との電気的な連結を遮断する。
【００５５】
ヒューズ貫通ホール８１ｂには電気的な絶縁性を有する遮断部材９５が挿入設置され、遮断部材９５は下部絶縁部材９０に固定される。
【００５６】
本実施形態のように、遮断部材９５がヒューズ部８１ａに形成されたヒューズ貫通ホール８１ｂに挿入してヒューズ部８１ａが離隔されるように支持しているため、ヒューズ部８１ａが溶融した後に振動や衝撃が加えられても、電流が遮断された後に再び電流が流れて二次電池１０２が過熱することを防ぐことができる。
【００５７】
図６は本発明の第３実施形態に係る二次電池の部分断面図であり、図７は本発明の第３実施形態に係る二次電池の部分分解斜視図である。
【００５８】
図６および図７を参照ながら説明すれば、本実施形態に係る二次電池は、遮断部材１２０と下部絶縁部材１６０の構造を除いては前記第１実施形態に係る二次電池と同一する構造であるため、同一する構造についての重複する説明は省略する。
【００５９】
図６および図７に示すように、正極集電部材４０には、他の部分よりも断面積が小さくて過電流が流れるときに溶融して電流を遮断するヒューズ部４１ａが形成されてもよい。
【００６０】
ヒューズ部４１ａにはヒューズ貫通ホール４１ｂが形成され、このヒューズ貫通ホール４１ｂに電気的な絶縁性を有する遮断部材１２０が挿入設置される。遮断部材１２０は、端子接合部４１と下部絶縁部材１６０の間に配置された支持板１２１と、支持板１２１から突出してヒューズ貫通ホール４１ｂに挿入する遮断突起１２３とを含んでもよい。支持板１２１はヒューズ貫通ホール４１ｂよりもさらに大きい断面積を有し、これによってヒューズ貫通ホール４１ｂに挿入せず、端子接合部の上面と当接する。
【００６１】
下部絶縁部材１６０には、端子柱２１ｂが挿入する端子ホール１６２と、端子フランジ２１ａが挿入するフランジ溝１６３と、正極集電部材４０の端子接合部４１が挿入する接合溝１６１と、支持板１２１が挿入する遮断溝１６５とが形成されてもよい。遮断部材１２０は、端子接合部４１の上部で下部絶縁部材１６０との間に位置してもよい。
【００６２】
本実施形態のように、遮断部材１２０がヒューズ部４１ａに形成されたヒューズ貫通ホール４１ｂに挿入すれば、ヒューズ部４１ａが溶融した後に振動や衝撃が加えられても、溶融した部分が再び連結して二次電池１０３が過熱することを防ぐことができる。さらに、ヒューズ部４１ａが溶融するとき、発生した熱によって支持板１２１の一部が溶融してヒューズ貫通ホール４１ｂに挿入するため、溶融した部分がさらに安定的に分離されるようになる。
【００６３】
図８は、本発明の第４実施形態に係る二次電池の負極集電部材を示す斜視図である。
【００６４】
図８を参照しながら説明すれば、本実施形態に係る二次電池は、負極集電部材８０’の構造を除いては前記第１実施形態に係る二次電池と同一する構造であるため、同一する構造についての重複する説明は省略する。
【００６５】
図８に示すように、本実施形態に係る負極集電部材８０’は、負極端子２２に溶接によって付着された端子接合部８１’と、端子接合部８１’から折り曲げられて形成され、電極アセンブリ１０に溶接によって付着された電極接合部８２’とを含んでもよい。
【００６６】
端子接合部８１’には負極端子２２の支持突起が挿入する支持ホール８１ａ’が形成され、電極接合部８２’には他の部分よりも断面積が小さくて過電流が流れるときに溶融して電流を遮断するヒューズ部８２ａ’が形成されてもよい。
【００６７】
ヒューズ部８２ａ’にはヒューズ貫通ホール８２ｂ’が形成され、ヒューズ部８２ａ’は他の部分よりもさらに小さい断面積からなり、ヒューズ部８２ａ’は過電流が流れるときに溶融して電極アセンブリと端子との電気的な連結を遮断する。
【００６８】
ヒューズ貫通ホール８２ｂ’には遮断部材８５が挿入設置され、遮断部材８５は電気的な絶縁性を有する素材からなる。本実施形態では、遮断部材８５は電極接合部８２’に密着した支持板８５ａと、支持板８５ａから突出してヒューズ貫通ホール８２ｂ’に挿入する遮断突起８５ｂとを含む。遮断部材８５は、負極集電部材８０’の側面に密着して配置されてもよい。
【００６９】
本実施形態のように、遮断部材85がヒューズ部８２ａ’に形成されたヒューズ貫通ホール８２ｂ’に挿入すれば、ヒューズ部８２ａ’が溶融した後に振動や衝撃が加えられても、溶融した部分が再び連結して二次電池が過熱することを防ぐことができる。
【００７０】
図９は本発明の第５実施形態に係る二次電池の部分断面図であり、図１０は本発明の第５実施形態に係る二次電池の部分分解斜視図である。
【００７１】
本実施形態に係る二次電池１０４は、正極集電部材２４０と下部絶縁部材２６０の構造を除いては前記第１実施形態に係る二次電池と同一する構造であるため、同一する構造についての重複する説明は省略する。
【００７２】
本実施形態に係る正極集電部材２４０は、正極端子２１に溶接によって付着された端子接合部２４１と、端子接合部２４１から折り曲げられて形成され、電極アセンブリ１０に溶接によって付着された電極接合部２４２とを含む。
【００７３】
正極集電部材２４０には支持突起２１ｃが挿入する支持ホール２４１ｃが形成され、支持突起２１ｃと正極集電部材２４０が溶接によって接合される。また、正極集電部材２４０には、過電流が流れるときに溶融して電流を遮断するヒューズ部２４１ａが形成される。ヒューズ部２４１ａにはヒューズ溝２４１ｂが形成され、ヒューズ部２４１ａが他の部分よりもさらに小さい断面積からなる。ここで、ヒューズ溝２４１ｂは、集電部材２４０の側面から内側に延長する少なくとも１つのスロットを含んでもよい。また、ヒューズ部２４１ａは、スロットに隣接して形成されてもよい。ヒューズ溝２４１ｂには遮断部材２６５が挿入設置され、遮断部材２６５は電気的な絶縁性を有する素材からなる。
【００７４】
下部絶縁部材２６０には端子接合部２４１が挿入する接合溝２６１が形成され、遮断部材２６５は接合溝２６１に固定されてもよい。遮断部材２６５は接合溝２６１の両側の側壁から内側に続いて形成されてもよい。ここで、遮断部材２６５は、接合溝２６１の両側面から延長してもよい。例えば、遮断部材２６５は、端子接合部２４１のヒューズ溝２４１ａに対向するように位置してもよい。
【００７５】
本実施形態のように、遮断部材２６５がヒューズ部２４１ａに形成されたヒューズ溝２４１ｂに挿入すれば、ヒューズ部２４１ａが溶融した後に振動や衝撃が加えられても、溶融した部分が再び連結して二次電池１０４が過熱することを防ぐことができる。
【００７６】
図１１は本発明の第６実施形態に係る二次電池の部分断面図であり、図１２は本発明の第６実施形態に係る二次電池の正極集電部材を示す斜視図である。
【００７７】
本実施形態に係る二次電池１０５は、正極集電部材３４０と下部絶縁部材３６０の構造を除いては前記第１実施形態に係る二次電池と同一する構造であるため、同一する構造についての重複する説明は省略する。
【００７８】
本実施形態に係る正極集電部材３４０は、端子に溶接によって付着された端子接合部３４１と、端子接合部３４１から折り曲げられて形成され、電極アセンブリ１０に溶接によって付着された電極接合部３４２とを含んでもよい。
【００７９】
端子接合部３４１には、支持突起２１ｃが挿入する支持ホール３４１ｃと、過電流が流れるときに溶融して電流を遮断するヒューズ部３４１ａとが形成されてもよい。ヒューズ部３４１ａにはヒューズ溝３４１ｂが形成され、ヒューズ部３４１ａは他の部分よりもさらに小さい断面積からなる。ヒューズ溝３４１ｂは端子接合部３４１の上面に形成され、端子接合部３４１の幅方向に続いて形成されてもよい。ここで、ヒューズ溝３４１ｂは、集電部材３４０の表面を横切って延長するヒューズ溝であり、ヒューズのヒューズ部３４１ａは表面溝から集電部材３４０の反対表面まで延長してもよい。ヒューズ溝３４１ｂには遮断部材３６５が挿入設置され、遮断部材３６５は電気的な絶縁性を有する素材からなってもよい。
【００８０】
遮断部材３６５は下部絶縁部材３６０と一体に形成され、下部絶縁部材３６０から突出形成され、下部絶縁部材３６０の幅方向に続いて形成されてもよい。
【００８１】
本実施形態のように、遮断部材３６５がヒューズ溝３４１ｂに挿入すれば、ヒューズ部３４１ａが溶融した後に振動や衝撃が加えられても連結せず、安定的に離隔することができる。
【００８２】
図１３は本発明の第５実施形態に係る二次電池を示す斜視図であり、図１４は図１３のＸＩＶ−ＸＩＶ線に沿って切断した断面図である。
【００８３】
図１３および図１４を参照して説明すれば、本実施形態に係る二次電池１０６は、電極アセンブリ１０と、電極アセンブリ１０が内蔵されるケース２６と、ケース２６の開口に結合したキャップアセンブリ５３０とを含む。
【００８４】
本実施形態に係る二次電池は、正極１１と負極１２を短絡させる構造を除いては前記第１実施形態に係る二次電池と同一する構造であるため、同一する構造についての重複する説明は省略する。
【００８５】
キャッププレート３１には、ベント部材３９と、密封キャップ３８と、短絡部材５４３とが設置されてもよい。短絡部材５４３は二次電池１０６の内圧が上昇するときに変形し、正極端子２１と負極端子２２を電気的に連結する役割をする。
【００８６】
正極端子２１は正極集電部材４０を媒介として正極１１と電気的に連結し、負極端子２２も負極集電部材５０を媒介として負極１２と電気的に連結する。正極集電部材は図３に示す第１実施形態に係る正極集電部材と同一する構造からなり、正極集電部材４０には過電流が流れるときに溶融するヒューズ部４１ａが形成され、ヒューズ部４１ａのヒューズ貫通ホール４１ｂには遮断部材６５が挿入設置されてもよい。
【００８７】
このとき、ヒューズ部４１ａは、電極アセンブリ１０よりもさらに上に位置する。本実施形態のように、ヒューズ部４１ａを電極アセンブリ１０よりも上に位置させれば、ヒューズ部４１ａと電解液が接触しない。したがって、ヒューズ部４１ａで発生した熱によって電解液が発火することを安定的に防ぐことができる。
【００８８】
一方、正極端子２１には、正極端子２１と電気的に連結した第１短絡タップ５４１がキャッププレート５３１上に設置される。第１短絡タップ５４１とキャッププレート５３１の間には、第１短絡タップ５４１とキャッププレート５３１を電気的に絶縁する絶縁部材５３７が設置されてもよい。
【００８９】
負極端子２２には、負極端子２２とキャッププレート５３１を電気的に連結する連結板５４９が設置される。連結板５４９は導電性を有する金属からなり、ナット２９を介してキャッププレート５３１に密着する。
【００９０】
短絡部材５４３は、二次電池１０６の内部圧力が上昇するときに変形するため、短絡部材５４３の変形によって正極端子２１と電気的に連結した第１短絡タップ５４１と負極端子２２と電気的に連結した第２短絡タップが短絡する。本実施形態では、負極端子２２と電気的に連結したキャッププレート５３１が第２短絡タップとなる。
【００９１】
短絡部材５４３はキャッププレートと電気的に連結するため、短絡部材５４３は、キャッププレート５３１に形成された短絡ホール３５において、絶縁部材５３７とキャッププレート５３１の間に配置されてもよい。短絡部材５４３は、下に膨らむように弧形に湾曲した部分と、キャッププレート５３１に固定された枠部分とを備えた反転プレートからなる。
【００９２】
このとき、ヒューズ部４１ａは、短絡部材５４３と電極アセンブリ１０の間で直列に連結している。
【００９３】
第１短絡タップ５４１は短絡ホール３５を覆うように続いて形成されており、これによってケース２６の内部圧力の上昇によって短絡部材５４３が上に突出するように変形すれば、第１短絡タップ５４１とキャッププレート５３１が短絡部材５４３を媒介として電気的に連結して短絡を誘発する。
【００９４】
短絡が誘発されれば瞬間的に大きい電流が流れるようになり、過電流によってヒューズ部４１ａが溶融して正極端子２１と電極アセンブリ１０の間の電気的な連結を遮断することができる。
【００９５】
このように、本実施形態によれば、短絡を誘発して瞬間的に大きい電流が流れるようにし、このときに発生する過電流を利用してヒューズ部４１ａを溶融させて電流を遮断する。設定された条件で短絡およびヒューズ部の作動を誘発すれば、二次電池が危険な状況に至る前に作動を停止することができ、これによって安全性が向上する。
【００９６】
ヒューズ部４１ａが設置されなければ、短絡が誘発された後に発生する大きい電流によって短絡部材５４３が溶融し、これによって短絡状態が維持されないという問題が発生する。短絡状態が維持されなければ、内部温度および圧力が上昇した二次電池が充電と放電を繰り返し、爆発したり発火する危険がある。
【００９７】
また、一般的なヒューズとは異なり、内部短絡時に作動するヒューズを設計すれば、ヒューズが作動する熱的条件を十分に大きくすることができるため、抵抗および熱の問題を解決することができる。すなわち、内部短絡時には正常運転時に比べて数百倍もさらに大きい電流が流れるため、このような電流で作動するヒューズを設置すれば、正常運転時にヒューズから発生する抵抗および熱を極めて小さくすることができる。
【００９８】
また、遮断部材６５が溶融した部分の間を離隔させるため、溶融した後に再び連結することを防ぐことができる。
【００９９】
以上、本発明の好ましい実施形態について説明したが、本発明がこれに限定されるものではなく、特許請求の範囲と発明の詳細な説明および添付した図面の範囲内で多様に変形して実施することができる。
【符号の説明】
【０１００】
１０１、１０２、１０３、１０４、１０５、１０６：二次電池
１０：電極アセンブリ
１１：正極
１１ａ：正極無地部
１２：負極
１２ａ：負極無地部
１３：セパレータ
８５ｂ、１２３：遮断突起
４１ａ、８１ａ、８２ａ’、２４１ａ、３４１ａ：ヒューズ部
６５、８５、８５’、９５、１２０、２６５：遮断部材
【図１】
2011258550.tif 000003
【図２】
2011258550.tif 000004
【図３】
2011258550.tif 000005
【図４】
2011258550.tif 000006
【図５】
2011258550.tif 000007
【図６】
2011258550.tif 000008
【図７】
2011258550.tif 000009
【図８】
2011258550.tif 000010
【図９】
2011258550.tif 000011
【図１０】
2011258550.tif 000012
【図１１】
2011258550.tif 000013
【図１２】
2011258550.tif 000014
【図１３】
2011258550.tif 000015
【図１４】
2011258550.tif 000016